(57)【要約】【課題】純水製造装置を停止させる時間を手間をかけずに正確に算出するシステムを提供する。【解決手段】純水を製造する純粋製造装置１１と、純粋製造装置１１が製造した純水を貯蔵し、純水を使用する供給先設備１３Ａ〜１３Ｃへ貯蔵された純水を供給する純粋貯蔵タンク１２と、を備えた純水供給システム１０における純水製造装置１１の採水時間の算出システム２０は、純水貯蔵タンク１２の最大貯蔵量と現在の貯蔵量との差を、純水製造装置１１での純水の製造量と供給先設備１３Ａ〜１３Ｃへの供給量との差で除算することにより、純水貯蔵タンク１２に貯蔵された純水が最大貯蔵量となるまでの満水時間を算出し、満水時間を採水時間として採用する採水時間算出部２２を備える。【選択図】図１
2010142788.tif 000002
【特許請求の範囲】
【請求項１】
外部から供給された水を、樹脂を通過させることにより純水を製造する純粋製造装置と、純粋製造装置が製造した純水を貯蔵し、純水を使用する供給先設備へ貯蔵された純水を供給する純粋貯蔵タンクと、を備えた純水供給システムにおける純水製造装置の採水時間の算出システムであって、
前記純水貯蔵タンクの最大貯蔵量と現在の貯蔵量との差を、前記純水製造装置での純水の製造量と前記供給先設備への供給量との差で除算することにより、純水貯蔵タンクに貯蔵された純水が最大貯蔵量となるまでの満水時間を採水時間として算出する採水時間算出部を備えることを特徴とする採水時間算出システム。
【請求項２】
請求項１記載の採水時間算出システムであって、
前記純水製造装置の総純水製造量を積算する積算部を備え、
前記採水時間算出部は、前記樹脂の洗浄が必要となるまでの純水製造可能量と、前記積算部により積算された総純水製造量の差を、前記純水製造装置の単位時間あたりの純水の製造量で除算することにより、前記樹脂の洗浄時間を算出し、前記洗浄時間が前記満水時間に比べて短い場合には、当該洗浄時間を採水時間として採用することを特徴とする採水時間算出システム。
【発明の詳細な説明】
【技術分野】
【０００１】
本発明は、純水製造装置と、この純水製造装置が製造した純水を貯蔵し、純水を利用する装置へ供給するシステムにおける純水製造装置の採水時間を算出するためのシステム及び方法に関する。
【背景技術】
【０００２】
従来より、発電所等では、冷却水などとして用いるために、純水が必要となる。このようにして純水を供給するシステムとしては、例えば、特許文献１に記載されているような、供給された水から泥等を取り除き、純水を製造する純水製造装置と、純水製造装置により製造された純水を貯蔵し、純水を必要とする装置へ供給する純水貯蔵タンクとからなる純水供給システムが用いられている。
【特許文献１】特開２００１−１４５８７９号公報
【発明の開示】
【発明が解決しようとする課題】
【０００３】
ところで、純水製造装置を稼動して純水貯蔵タンクに純水を供給する際、純水貯蔵タンクは貯蔵限界量があるため、純水貯蔵タンクが満水となった時点で純水製造装置を停止させる必要がある。また、純水製造装置は樹脂等に水を通過させることにより純水を製造しているが、所定量の純水を製造するごとに樹脂の洗浄が必要となり、純水製造装置を停止させる必要がある。
【０００４】
このような、純水製造装置を停止させる時間は、従来、担当者が電卓を用いて手作業で算出していた。このため、作業に手間がかかるとともに、計算ミスなどを生じる虞がある。
【０００５】
本発明は、上記の問題に鑑みなされたものであり、純水製造装置を停止させる時間を手間をかけずに正確に算出するシステムを提供することである。
【課題を解決するための手段】
【０００６】
本発明の採水時間算出システムは、外部から供給された水を、樹脂を通過させることにより純水を製造する純粋製造装置と、純粋製造装置が製造した純水を貯蔵し、純水を使用する供給先設備へ貯蔵された純水を供給する純粋貯蔵タンクと、を備えた純水供給システムにおける純水製造装置の採水時間の算出システムであって、前記純水貯蔵タンクの最大貯蔵量と現在の貯蔵量との差を、前記純水製造装置での純水の製造量と前記供給先設備への供給量との差で除算することにより、純水貯蔵タンクに貯蔵された純水が最大貯蔵量となるまでの満水時間を採水時間として算出する採水時間算出部を備えることを特徴とする。
【０００７】
上記のシステムにおいて、前記純水製造装置の総純水製造量を積算する積算部を備え、前記採水時間算出部は、前記樹脂の洗浄が必要となるまでの純水製造可能量と、前記積算部により積算された総純水製造量の差を、前記純水製造装置の単位時間あたりの純水の製造量で除算することにより、前記樹脂の洗浄時間を算出し、前記洗浄時間が前記満水時間に比べて短い場合には、当該洗浄時間を採水時間として採用してもよい。
【発明の効果】
【０００８】
本発明によれば、手間をかけずに自動的に正確に採水時間を算出することができる。
【発明を実施するための最良の形態】
【０００９】
以下、本発明の採水時間算出システムの一実施形態を図面を参照しながら詳細に説明する。
図１は、採水時間算出システム２０及び採水時間算出システム２０による採水時間の算出の対象となる純水供給システム１０の構成を示す図である。同図に示すように純水供給システム１０は、外部から水が供給され、供給された水から純水を製造し、純水を必要とする設備１３Ａ〜１３Ｃへ製造した純水を供給するシステムであり、純水製造装置１１と、純水貯蔵タンク１２とを備えてなる。
【００１０】
純水製造装置１１は、外部から供給された水をフィルタや樹脂を通過させることにより純水を製造する装置である。なお、純水製造装置１１の純水製造能力は、Ｘ［ｍ３／ｈｒ］であり、所定量Ｚ［ｍ３］（特許請求の範囲における純水製造可能量に相当）の純水を製造するごとに、樹脂の洗浄が必要となるものとする。
【００１１】
純水貯蔵タンク１２は、純水製造装置１１により製造された純水が供給され、供給された純粋を貯蔵するためのものである。また、貯蔵されている純水を、予定された時刻になると純水を必要とする設備１３Ａ〜１３Ｃへ供給する。
【００１２】
なお、本実施形態では、純水を必要とする設備１３Ａ〜１３Ｃのうち設備１３Ｃは常時稼動し、常時、Ｙ０［ｍ３／ｈｒ］の純水を必要としており（以下、この設備を常時稼動設備という）、残りの二つの設備（第１の設備１３Ａ，第２の設備１３Ｂ）は、稼動時にのみ夫々、Ｙ１、Ｙ２［ｍ３／ｈｒ］の純水が必要になるものとする（以下、これら設備を一時稼動設備という）。
【００１３】
本実施形態の採水時間算出システム２０は、純水供給システム１０における純水貯蔵タンク１２内の純水の水位が貯蔵可能な最高水位に到達した状態（以下、満水状態という）となるまでの時間を算出するためのものである。
【００１４】
図１に示すように、採水時間算出システム２０は、設備情報データベース２４と、純水貯蔵タンク１２内の純水の水位に関する水位情報を取得する水位情報取得部２３と、純水製造装置１１の純水の積算製造量を計測する積算計２１と、採水時間算出部２２と、を備えてなる。
【００１５】
図２は、設備情報データベース２４に記録されたデータの構成を示す図である。同図に示すように、設備情報データベース２４には、純水を必要とする各設備１３Ａ〜１３Ｃの稼動開始時間、終了時間、及び単位時間当たりの純水の使用量が対応付けられた設備情報が記録されている。
【００１６】
採水時間算出部２２には、水位情報取得部２３から水位情報が、また、積算計２１から純水製造装置１１により純水の積算製造量に関する情報が入力される。そして、採水時間算出部２２は、設備情報データベース２４を参照しながら、水位情報及び純水の積算製造量に基づき、採水時間を算出する。
【００１７】
以下、本実施形態の採水時間算出システム２０により採水時間を算出する方法を説明する。
まず、採水時間算出部２２は、設備情報データベース２４を参照して、稼動開始時間又は終了時間が現在の時刻Ｔ０以降である設備情報を取得する。
【００１８】
上記のように、本実施形態では、稼動した際に純水を必要とする一時稼動設備１３Ａ，１３Ｂが２台あり、これらの稼動時間帯の関係は図３に示すパターンＡからパターンＦに区別することができる。以下、パターンごとに純水貯蔵タンクが満水状態となるまでの時間Ｅを算出する。
【００１９】
＜パターンＡ＞
パターンＡは、常時稼動設備１３Ｃのみが稼動しており、第１及び第２の一時稼動設備１３Ａ、１３Ｂが時刻Ｔ０以降に稼動する予定がない場合である。
かかる場合の純水貯蔵タンク１２が満水状態となるまでの時間Ｅ＝Ｊ０は以下の式（１）により算出できる。
【数１】
2010142788.tif 000003
【００２０】
なお、式中のａは純水貯蔵タンク１２の断面積、Ｌｈは満水状態の純水貯蔵タンク１２の水位、Ｌ０は満水状態の純水貯蔵タンク１２の水位、現在（時刻Ｔ０）における純水貯蔵タンク１２の水位、Ａは純水貯蔵タンク１２への実質補給量（すなわち、採水量Ｘ−常時稼動設備１３Ｃの純水使用量Ｙ０）を示す。
【００２１】
また、この際の時刻Ｔｘ（Ｔ０≦Ｔｘ≦Ｊ０）における純水貯蔵タンク１２の純水の水位ｈｘは、以下の式（２）で算出することができる。
【数２】
2010142788.tif 000004
【００２２】
＜パターンＢ＞
パターンＢは、常時稼動設備１３Ｃのみが稼動しており、第１の一時稼動設備１３Ａが一台のみ時刻Ｔ０以降に稼動する予定がある場合である。
かかる場合には、第１の一時稼動設備１３Ａの起動時刻Ｔ１及び終了時間Ｔ２との関係から図４に示すパターン１〜３のように場合分けできる。
【００２３】
パターン１（Ｔ１≧Ｅの場合）
パターン１に該当する場合には第１の一時稼動設備１３Ａが稼動する前に純水貯蔵タンク１２が満水状態に達する。
まず、上記のパターンＡと同様に以下の式（３）によりＪ０を算出する。
【数３】
2010142788.tif 000005
【００２４】
そして、算出したＪ０がＴ１≧Ｊ０を満たす場合には、パターン１に該当すると判定し、満水状態となるまでの時間Ｅ＝Ｊ０とする。
また、Ｔ１＜Ｊ０の場合には、パターン２又はパターン３に該当するとして後述するパターン２における処理を行う。
【００２５】
なお、時刻Ｔｘ（Ｔ０≦Ｔｘ≦Ｊ０）における純水貯蔵タンク１２の純水の水位ｈｘは、以下の式（４）で算出することができる。
【数４】
2010142788.tif 000006
【００２６】
パターン２（Ｔ１＜Ｅ≦Ｔ２の場合）
パターン２に該当する場合には、図４に示すように、第１の一時稼動設備１３Ａの起動後かつ停止前に純水貯蔵タンク１２が満水状態に達する。このため、以下の式（５）により満水状態となるまでの時間ＪＴ１を算出することができる。
【数５】
2010142788.tif 000007
【００２７】
なお、上記の式におけるＬＴ１は時刻Ｔ１における純水貯蔵タンク１２の水位、Ｂは第１の一時稼動設備１３Ａが起動している際の純水貯蔵タンク１２への実質補給量（すなわち、採水量Ｘ−常時稼動設備１３Ｃの使用量Ｙ０―第１の一時稼動設備１３Ａの使用量Ｙ１）である。
【００２８】
ここで、上記算出したＪＴ１がＪＴ１≦Ｔ２を満たす場合には、パターン２に該当すると判定し、満水状態となるまでの時間Ｅ＝ＪＴ１とする。
また、ＪＴ１＞Ｔ２の場合には、パターン３であると判定し、後述するパターン３の処理を行う。
【００２９】
なお、時刻Ｔｘ（Ｔ１＜Ｔｘ≦ＪＴ１）における純水貯蔵タンク１２の純水の水位ｈｘは、以下の式（６）で算出することができる。
【数６】
2010142788.tif 000008
【００３０】
パターン３（Ｔ２＜ＪＴ１の場合）
パターン３に該当する場合には、図４に示すように、第１の一時稼動設備１３Ａの停止後に純水貯蔵タンク１２が満水状態に達する。このような場合には、以下の式（７）により満水状態となるまでの時間Ｅ＝ＪＴ２を算出することができる。
【数７】
2010142788.tif 000009
【００３１】
また、時刻Ｔｘ（Ｔ２＜Ｔｘ）における純水貯蔵タンク１２の純水の水位ｈｘは、以下の式（８）で算出することができる。
【数８】
2010142788.tif 000010
【００３２】
＜パターンＣ＞
パターンＣは、常時稼動設備１３Ｃが稼動しており、第１及び第２の一時稼動設備１３Ａ、１３Ｂが二台とも時刻Ｔ０以降に稼動する予定があり、これら各一時稼動設備の稼動時間が一部重なっている場合である。かかる場合には、各一時稼動設備の起動時刻Ｔ１、Ｔ３及び終了時間Ｔ２、Ｔ４との関係から図５に示すパターン１〜５のように場合分けできる。
【００３３】
パターン１（Ｔ１≧Ｅの場合）
パターン１に該当する場合には第１の一時稼動設備１３Ａが稼動する前に純水貯蔵タンク１２が満水状態に達する。
まず、上記のパターンＡと同様に以下の式（９）によりＪ０を算出する。
【数９】
2010142788.tif 000011
【００３４】
そして、算出したＪ０がＴ１≧Ｊ０を満たす場合には、パターン１に該当すると判定し、満水状態となるまでの時間Ｅ＝Ｊ０とする。
また、Ｔ１＜Ｊ０の場合には、パターン２〜５の何れかに該当するとして後述するパターン２における処理を行う。
【００３５】
なお、時刻Ｔｘ（Ｔ０≦Ｔｘ≦Ｊ０）における純水貯蔵タンク１２の純水の水位ｈｘは、以下の式（１０）で算出することができる。
【数１０】
2010142788.tif 000012
【００３６】
パターン２（Ｔ１＜Ｅ≦Ｔ２の場合）
パターン２に該当する場合には、図５に示すように、第１の一時稼動設備１３Ａの起動後に純水貯蔵タンク１２が満水状態に達する。このため、以下の式（１１）により満水状態となるまでの時間ＪＴ１を算出することができる。
【数１１】
2010142788.tif 000013
【００３７】
ここで、上記算出したＪＴ１がＪＴ１≦Ｔ２を満たす場合には、パターン２に該当すると判定し、満水状態となるまでの時間Ｅ＝ＪＴ１とする。また、ＪＴ１＞Ｔ２の場合には、パターン３〜５に該当すると判定し、後述するパターン３の処理を行う。
【００３８】
なお、時刻Ｔｘ（Ｔ１＜Ｔｘ≦ＪＴ１）における純水貯蔵タンク１２の純水の水位ｈｘは、以下の式（１２）で算出することができる。
【数１２】
2010142788.tif 000014
【００３９】
パターン３（Ｔ２＜Ｅ≦Ｔ３場合）
パターン３に該当する場合には、図５に示すように、第１の一時稼動設備１３Ａの停止後に純水貯蔵タンク１２が満水状態に達する。このような場合には、以下の式（１３）により満水状態となるまでの時間ＪＴ２を算出することができる。
【数１３】
2010142788.tif 000015
【００４０】
上記算出したＪＴ２がＪＴ２≦Ｔ３を満たす場合には、パターン３に該当すると判定し、満水状態となるまでの時間Ｅ＝ＪＴ２とする。また、ＪＴ２＞Ｔ３の場合には、パターン４〜５に該当すると判定し、後述するパターン４の処理を行う。
【００４１】
なお、時刻Ｔｘ（Ｔ２＜ＪＴ１≦ＪＴ２）における純水貯蔵タンク１２の純水の水位ｈｘは、以下の式（１４）で算出することができる。
【数１４】
2010142788.tif 000016
【００４２】
パターン４（Ｔ３＜Ｅ≦Ｔ４の場合）
パターン４に該当する場合には、図５に示すように、第２の一時稼動設備１３Ｂの稼動後に純水貯蔵タンク１２が満水状態に達する。このような場合には、以下の式（１５）により満水状態となるまでの時間Ｅ＝ＪＴ３を算出することができる。
【数１５】
2010142788.tif 000017
【００４３】
なお、式中のＣは第２の一時稼動設備１３Ｂが起動している際の純水貯蔵タンク１２への実質補給量（すなわち、採水量Ｘ−常時稼動設備１３Ｃの使用量Ｙ０―第２の一時稼動設備１３Ｂの使用量Ｙ２）である。
【００４４】
上記算出したＪＴ３がＪＴ３≦Ｔ４を満たす場合には、パターン４に該当すると判定し、満水状態となるまでの時間Ｅ＝ＪＴ３とする。また、ＪＴ３＞Ｔ４の場合には、パターン５であると判定し、後述するパターン５の処理を行う。
【００４５】
なお、時刻Ｔｘ（Ｔ３＜Ｔｘ≦ＪＴ３）における純水貯蔵タンク１２の純水の水位ｈｘは、以下の式（１６）で算出することができる。
【数１６】
2010142788.tif 000018
【００４６】
パターン５（Ｅ＞Ｔ４の場合）
パターン５に該当する場合には、図５に示すように、第１及び第２の一時稼動設備１３Ａ、１３Ｂの停止後に純水貯蔵タンク１２が満水状態に達する。このため、以下の式（１７）により満水状態となるまでの時間Ｅ＝ＪＴ４を算出することができる。
【数１７】
2010142788.tif 000019
【００４７】
また、時刻Ｔｘ（Ｔ４＜Ｔｘ）における純水貯蔵タンク１２の純水の水位ｈｘは、以下の式（１８）で算出することができる。
【数１８】
2010142788.tif 000020
【００４８】
＜パターンＤ＞
パターンＤは、常時稼動設備１３Ｃが稼動しており、一時稼動設備が二台とも時刻Ｔ０以降に稼動する予定があり、第２の一時稼動設備１３Ｂの起動時刻Ｔ３が第１の一時稼動設備１３Ａの起動時刻Ｔ１と終了時間Ｔ２の間であり、第２の一時稼動設備１３Ｂの終了時間Ｔ４が第１の一時稼動設備１３Ａの終了時間Ｔ２の後である場合である。かかる場合には、各一時稼動設備の起動時刻Ｔ１、Ｔ３及び終了時間Ｔ２、Ｔ４との関係から図６に示すパターン１〜５のように場合分けできる。
ここで、パターン１〜２における純水貯蔵タンク１２が満水状態に達するまでの時間は、パターンＢにおけるパターン１〜２と同様に算出することができる。
【００４９】
パターン１（Ｔ１≧Ｅの場合）
パターン１に該当する場合には図６に示すように第１の一時稼動設備１３Ａが稼動する前に純水貯蔵タンク１２が満水状態に達する。
まず、上記のパターンＡと同様に以下の式（１９）によりＪ０を算出する。
【数１９】
2010142788.tif 000021
【００５０】
そして、算出したＪ０がＴ１≧Ｊ０を満たす場合には、パターン１に該当すると判定し、満水状態となるまでの時間Ｅ＝Ｊ０とする。
また、Ｔ１＜Ｊ０の場合には、パターン２〜５の何れかに該当するとして後述するパターン２における処理を行う。
【００５１】
なお、時刻Ｔｘ（Ｔ０≦Ｔｘ≦Ｊ０）における純水貯蔵タンク１２の純水の水位ｈｘは、以下の式（２０）で算出することができる。
【数２０】
2010142788.tif 000022
【００５２】
パターン２（Ｔ１＜Ｅ≦Ｔ3の場合）
パターン２に該当する場合には、図６に示すように、第１の一時稼動設備１３Ａの起動後に純水貯蔵タンク１２が満水状態に達する。このため、以下の式（２１）により満水状態となるまでの時間ＪＴ１を算出することができる。
【数２１】
2010142788.tif 000023
【００５３】
ここで、上記算出したＪＴ１がＪＴ１≦Ｔ３を満たす場合には、パターン２に該当すると判定し、満水状態となるまでの時間Ｅ＝ＪＴ１とする。また、ＪＴ１＞Ｔ３の場合には、パターン３〜５に該当すると判定し、後述するパターン３の処理を行う。
【００５４】
なお、時刻Ｔｘ（Ｔ１＜Ｔｘ≦ＪＴ１）における純水貯蔵タンク１２の純水の水位ｈｘは、以下の式（２２）で算出することができる。
【数２２】
2010142788.tif 000024
【００５５】
パターン３（Ｔ3＜Ｅ≦Ｔ２の場合）
パターン３に該当する場合には、図６に示すように、第２の一時稼動設備１３Ｂの稼動の開始後に純水貯蔵タンク１２が満水状態に達する。このような場合には、以下の式（２３）により満水状態となるまでの時間ＪＴ３を算出することができる。
【数２３】
2010142788.tif 000025
なお、式中のＤは第１及び第２の一時稼動設備１３Ａ、１３Ｂが起動している際の純水貯蔵タンク１２への実質補給量（すなわち、採水量Ｘ−常時稼動設備１３Ｃの使用量Ｙ０―第１の一時稼動設備１３Ａの使用量Ｙ１―第１の一時稼動設備１３Ｂの使用量Ｙ２）である。
【００５６】
ここで、上記算出したＪＴ３がＪＴ３≦Ｔ２を満たす場合には、パターン３に該当すると判定し、満水状態となるまでの時間Ｅ＝ＪＴ３とする。
また、ＪＴ３＞Ｔ２の場合には、パターン４〜５であると判定し、後述するパターン４の処理を行う。
【００５７】
なお、時刻Ｔｘ（Ｔ3＜Ｔｘ≦ＪＴ３）における純水貯蔵タンク１２の純水の水位ｈｘは、以下の式（２４）で算出することができる。
【数２４】
2010142788.tif 000026
【００５８】
パターン４（Ｔ２＜Ｅ≦Ｔ４の場合）
パターン４に該当する場合には、図６に示すように、第１の一時稼動設備１３Ａの停止後に純水貯蔵タンク１２が満水状態に達する。このような場合には、以下の式（２５）により満水状態となるまでの時間ＪＴ２を算出することができる。
【数２５】
2010142788.tif 000027
【００５９】
ここで、上記算出したＪＴ２がＪＴ２≦Ｔ４を満たす場合には、パターン４に該当すると判定し、満水状態となるまでの時間Ｅ＝ＪＴ２とする。
また、ＪＴ２＞Ｔ４の場合には、パターン５であると判定し、後述するパターン５の処理を行う。
【００６０】
なお、時刻Ｔｘ（Ｔ２＜Ｔｘ≦ＪＴ２）における純水貯蔵タンク１２の純水の水位ｈｘは、以下の式（２６）で算出することができる。
【数２６】
2010142788.tif 000028
【００６１】
パターン５（Ｔ４＜Ｅの場合）
パターン５に該当する場合には、図６に示すように、第２の一時稼動設備１３Ｂの停止後に純水貯蔵タンク１２が満水状態に達する。このような場合には、以下の式（２７）により満水状態となるまでの時間Ｅ＝ＪＴ４を算出することができる。
【数２７】
2010142788.tif 000029
【００６２】
また、時刻Ｔｘ（Ｔ４＜Ｔｘ）における純水貯蔵タンク１２の純水の水位ｈｘは、以下の式（２８）で算出することができる。
【数２８】
2010142788.tif 000030
【００６３】
＜パターンＥ＞
パターンＥは、常時稼動設備１３Ｃが稼動しており、第１及び第２の一時稼動設備１３Ａ、１３Ｂが二台とも時刻Ｔ０以降に稼動する予定があり、第１の一時稼動設備１３Ａの稼動後に第２の一時稼動設備１３Ｂが稼動し、第２の一時稼動設備１３Ｂが停止した後、第２の一時稼動設備１３Ｂが停止する場合である。かかる場合には、各一時稼動設備の起動時刻Ｔ１、Ｔ３及び終了時間Ｔ２、Ｔ４との関係から図７に示すパターン１〜５のように場合分けできる。
【００６４】
パターン１（Ｔ１≧Ｅの場合）
パターン１に該当する場合には第１の一時稼動設備１３Ａが稼動する前に純水貯蔵タンク１２が満水状態に達する。
まず、上記のパターンＡと同様に以下の式（２９）によりＪ０を算出する。
【数２９】
2010142788.tif 000031
【００６５】
そして、算出したＪ０がＴ１≧Ｊ０を満たす場合には、パターン１に該当すると判定し、満水状態となるまでの時間Ｅ＝Ｊ０とする。
また、Ｔ１＜Ｊ０の場合には、パターン２〜５の何れかに該当するとして後述するパターン２における処理を行う。
【００６６】
なお、時刻Ｔｘ（Ｔ０≦Ｔｘ≦Ｊ０）における純水貯蔵タンク１２の純水の水位ｈｘは、以下の式（３０）で算出することができる。
【数３０】
2010142788.tif 000032
【００６７】
パターン２（Ｔ１＜Ｅ≦Ｔ３の場合）
パターン２に該当する場合には、図７に示すように、第１の一時稼動設備１３Ａの起動後、第２の一時稼動設備１３Ｂの稼動前に純水貯蔵タンク１２が満水状態に達する。このため、以下の式（３１）により満水状態となるまでの時間ＪＴ１を算出することができる。
【数３１】
2010142788.tif 000033
【００６８】
ここで、上記算出したＪＴ１がＪＴ１≦Ｔ３を満たす場合には、パターン２に該当すると判定し、満水状態となるまでの時間Ｅ＝ＪＴ１とする。また、ＪＴ１＞Ｔ３の場合には、パターン３〜５に該当すると判定し、後述するパターン３の処理を行う。
【００６９】
なお、時刻Ｔｘ（Ｔ１＜Ｔｘ≦ＪＴ１）における純水貯蔵タンク１２の純水の水位ｈｘは、以下の式（３２）で算出することができる。
【数３２】
2010142788.tif 000034
【００７０】
パターン３（Ｔ3＜Ｅ≦Ｔ4の場合）
パターン３に該当する場合には、図７に示すように、第２の一時稼動設備１３Ｂの稼動後に純水貯蔵タンク１２が満水状態に達する。このような場合には、以下の式（３３）により満水状態となるまでの時間Ｅ＝ＪＴ３を算出することができる。
【数３３】
2010142788.tif 000035
【００７１】
上記算出したＪＴ３がＪＴ３≦Ｔ４を満たす場合には、パターン３に該当すると判定し、満水状態となるまでの時間Ｅ＝ＪＴ３とする。また、ＪＴ３＞Ｔ４の場合には、パターン４〜５に該当すると判定し、後述するパターン４の処理を行う。
【００７２】
なお、時刻Ｔｘ（Ｔ３＜Ｔｘ≦ＪＴ３）における純水貯蔵タンク１２の純水の水位ｈｘは、以下の式（３４）で算出することができる。
【数３４】
2010142788.tif 000036
【００７３】
パターン４（Ｔ4＜Ｅ≦Ｔ2の場合）
パターン４に該当する場合には、図７に示すように、第２の一時稼動設備１３Ｂの停止後、第１の一時稼動設備１３Ａの停止前に純水貯蔵タンク１２が満水状態に達する。このような場合には、以下の式（３５）により満水状態となるまでの時間Ｅ＝ＪＴ４を算出することができる。
【数３５】
2010142788.tif 000037
【００７４】
上記算出したＪＴ４がＪＴ４≦Ｔ２を満たす場合には、パターン４に該当すると判定し、満水状態となるまでの時間Ｅ＝ＪＴ４とする。また、ＪＴ４＞Ｔ２の場合には、パターン５であると判定し、後述するパターン５の処理を行う。
【００７５】
なお、時刻Ｔｘ（Ｔ4＜Ｔｘ≦ＪＴ４）における純水貯蔵タンク１２の純水の水位ｈｘは、以下の式（３６）で算出することができる。
【数３６】
2010142788.tif 000038
【００７６】
パターン５（Ｔ２＜Ｅの場合）
パターン５に該当する場合には、図７に示すように、第１の一時稼動設備１３Ａの停止後に純水貯蔵タンク１２が満水状態に達する。このため、以下の式（３７）により満水状態となるまでの時間Ｅ＝ＪＴ２を算出することができる。
【数３７】
2010142788.tif 000039
【００７７】
また、時刻Ｔｘ（Ｔ２＜Ｔｘ）における純水貯蔵タンク１２の純水の水位ｈｘは、以下の式（３８）で算出することができる。
【数３８】
2010142788.tif 000040
【００７８】
＜パターンＦ＞
パターンＦは、常時稼動設備１３Ｃが稼動しており、第１及び第２の一時稼動設備１３Ａ、１３Ｂの起動開始時刻Ｔ１、Ｔ３が等しい場合である。かかる場合には、各一時稼動設備の起動時刻Ｔ１、Ｔ３及び終了時間Ｔ２、Ｔ４との関係から図８のパターン１〜４のように場合分けできる。
【００７９】
パターン１（Ｔ１≧Ｅの場合）
パターン１に該当する場合には第１及び第２の一時稼動設備１３Ａ、１３Ｂが稼動する前に純水貯蔵タンク１２が満水状態に達する。
まず、上記のパターンＡと同様に以下の式（３９）によりＪ０を算出する。
【数３９】
2010142788.tif 000041
【００８０】
そして、算出したＪ０がＴ１≧Ｊ０を満たす場合には、パターン１に該当すると判定し、満水状態となるまでの時間Ｅ＝Ｊ０とする。
また、Ｔ１＜Ｊ０の場合には、パターン２〜４の何れかに該当するとして後述するパターン２における処理を行う。
【００８１】
なお、時刻Ｔｘ（Ｔ０≦Ｔｘ≦Ｊ０）における純水貯蔵タンク１２の純水の水位ｈｘは、以下の式（４０）で算出することができる。
【数４０】
2010142788.tif 000042
【００８２】
パターン２（Ｔ１＜Ｅ≦Ｔ２の場合）
パターン２に該当する場合には、図８に示すように、第１及び第２の一時稼動設備１３Ａ、１３Ｂの稼動後に純水貯蔵タンク１２が満水状態に達する。このため、以下の式（４１）により満水状態となるまでの時間ＪＴ１を算出することができる。
【数４１】
2010142788.tif 000043
【００８３】
ここで、上記算出したＪＴ１がＪＴ１≦Ｔ２を満たす場合には、パターン２に該当すると判定し、満水状態となるまでの時間Ｅ＝ＪＴ１とする。また、ＪＴ１＞Ｔ２の場合には、パターン３〜４に該当すると判定し、後述するパターン３の処理を行う。
【００８４】
なお、時刻Ｔｘ（Ｔ１＜Ｔｘ≦ＪＴ１）における純水貯蔵タンク１２の純水の水位ｈｘは、以下の式（４２）で算出することができる。
【数４２】
2010142788.tif 000044
【００８５】
パターン３（Ｔ２＜Ｅ≦Ｔ４の場合）
パターン３に該当する場合には、図８に示すように、第１の一時稼動設備１３Ａの停止後、第２の一時稼動設備１３Ｂの停止前に純水貯蔵タンク１２が満水状態に達する。このような場合には、以下の式（４３）により満水状態となるまでの時間Ｅ＝ＪＴ２を算出することができる。
【数４３】
2010142788.tif 000045
【００８６】
上記算出したＪＴ２がＪＴ２≦Ｔ４を満たす場合には、パターン３に該当すると判定し、満水状態となるまでの時間Ｅ＝ＪＴ２とする。また、ＪＴ２＞Ｔ４の場合には、パターン４に該当すると判定し、後述するパターン４の処理を行う。
【００８７】
なお、時刻Ｔｘ（Ｔ２＜Ｔｘ≦ＪＴ２）における純水貯蔵タンク１２の純水の水位ｈｘは、以下の式（４４）で算出することができる。
【数４４】
2010142788.tif 000046
【００８８】
パターン４（Ｔ4＜Ｅの場合）
パターン３に該当する場合には、図８に示すように、第２の一時稼動設備１３Ｂの停止後に純水貯蔵タンク１２が満水状態に達する。このような場合には、以下の式（４５）により満水状態となるまでの時間Ｅ＝ＪＴ４を算出することができる。
【数４５】
2010142788.tif 000047
【００８９】
また、時刻Ｔｘ（Ｔ４＜Ｔｘ）における純水貯蔵タンク１２の純水の水位ｈｘは、以下の式（４６）で算出することができる。
【数４６】
2010142788.tif 000048
【００９０】
上記のようにして、採水時間算出部２２は、純水貯蔵タンク１２が満水状態になるまでの時間Ｅを算出する。
【００９１】
次に、採水時間算出部２２は、積算計２１から時刻Ｔ０における純水製造装置１１における純水の積算製造量Ｚ０を取得する。そして、以下の式（４７）により、Ｔ０以降、純水製造装置１１を稼動させた場合に純水製造装置１１の樹脂洗浄が必要となるまでの時間Ｆを算出する。
【数４７】
2010142788.tif 000049
【００９２】
次に、採水時間算出部２２は、上記算出した純水貯蔵タンク１２が満水状態になるまでの時間Ｅと、純水製造装置１１の樹脂洗浄が必要となるまでの時間Ｆとを比較して、長い方を採水時間として採用する。なお、この時間Ｆにおける水位は、上記の各パターンにおける水位ｈｘの算出式により算出することができる。
【００９３】
次に、上記採用した採水時間を出力部から画面出力、又は、印刷出力する。そして、作業員は出力部２５から出力された時間に合わせて純水製造装置１１を停止すればよい。
【００９４】
本実施形態によれば、手間をかけずに自動的に採水時間を算出することができる。また、採水時間算出システム２０により採水時間を算出するため、正確に採水時間を算出することができる。
【００９５】
さらに、複数の一時稼動設備１３Ａ，１３Ｂが稼動する場合であっても、精度良く採水時間を算出することができる。
【００９６】
なお、本実施形態では、一時稼動装置が２台の場合について説明したが、これに限らず、３台以上の場合であっても、同様に採水時間を算出することができる。
【図面の簡単な説明】
【００９７】
【図１】採水時間算出システム及び採水時間算出システムによる採水時間の算出の対象となる純水供給システムの構成を示す図である。
【図２】設備情報データベースに記録されたデータの構成を示す図である。
【図３】第１及び第２の一時稼動設備の稼働時間のパターンを示す図である。
【図４】図３のパターンＢにおける満水状態となるまでの時間のパターンを示す図である。
【図５】図３のパターンＣにおける満水状態となるまでの時間のパターンを示す図である。
【図６】図３のパターンＤにおける満水状態となるまでの時間のパターンを示す図である。
【図７】図３のパターンＥにおける満水状態となるまでの時間のパターンを示す図である。
【図８】図３のパターンＦにおける満水状態となるまでの時間のパターンを示す図である。
【符号の説明】
【００９８】
１０  純水製造システム
１１  純水製造装置
１２  純水貯蔵タンク
１３Ａ  第１の一時稼動設備
１３Ｂ  第２の一時稼動設備
１３Ｃ  常時稼動設備
２０  採水時間算出システム
２１  積算計
２２  採水時間算出部
２３  水位情報取得部
【図１】
2010142788.tif 000050
【図２】
2010142788.tif 000051
【図３】
2010142788.tif 000052
【図４】
2010142788.tif 000053
【図５】
2010142788.tif 000054
【図６】
2010142788.tif 000055
【図７】
2010142788.tif 000056
【図８】
2010142788.tif 000057